(57)【要約】【課題】ハンドルノブの耐久性を向上させ、保持コストを低く維持することのできる魚釣用リールを提供すること【解決手段】リール本体１２ａに回転可能に支持されたハンドルアーム３２に、支軸３８を介して回転可能に支持されたハンドルノブ４０を備えた魚釣用リール１０であって、前記ハンドルノブ４０のハンドルアーム３２側端部近傍の内周面と反ハンドルアーム側端部近傍の内周面との形状を互いに対称形状に形成し、前記支軸３８上に端部の向きを変えて取付け可能とした魚釣用リール。【選択図】      図１
2006149316.tif 000002
【特許請求の範囲】
【請求項１】
リール本体に回転可能に支持されたハンドルアームに、支軸を介して回転可能に支持されたハンドルノブを備えた魚釣用リールであって、
前記ハンドルノブにおける前記支軸の一端側に位置するハンドルアーム側端部近傍の内周面と前記支軸の他端側に位置する反ハンドルアーム側端部近傍の内周面との形状を互いに対称形状に形成し、前記支軸上に端部の向きを変えて取付け可能としたことを特徴とする魚釣用リール。
【請求項２】
前記各端部の近傍の内周面には、軸受を収容する収容部が形成されていることを特徴とする請求項１に記載の魚釣用リール。
【請求項３】
前記ハンドルノブの外周面形状は、前記支軸の一端側と他端側とが互いに非対称となる形状に形成されていることを特徴とする請求項１又は２に記載の魚釣用リール。
【発明の詳細な説明】
【技術分野】
【０００１】
本発明は、魚釣用リールに関し、特に、リール本体に回転可能に支持されたハンドルアームに、支軸を介して回転可能に支持されたハンドルノブを備えた魚釣用リールに関する。
【背景技術】
【０００２】
従来、魚釣用リールは、リール本体に支持されたスプールと、該リール本体の収容部に組込まれた巻取り駆動機構とを備えており、リール本体の一部に回転可能に支持されたハンドルを回転することにより、巻取り駆動機構を駆動してスプールに釣糸を巻回するのが一般的である。このように釣糸を巻上げるハンドルは、通常、リール本体に回転自在に装着された回転軸からクランク状に延びるハンドルアームと、このハンドルアームから、回転軸と反対の方向に突出させてこのハンドルアームに固定される支軸と、この支軸に回転可能に支持され、釣り人が握持保持するハンドルノブとを備える。
【０００３】
このようなハンドルノブは、内側に筒状部を備えており、この筒状部内に支軸を挿通し、この支軸に対して軸受と固定部材とを介して抜け止め支持している。この筒状部の内周側には、ハンドルアーム側とこれと反対側の反ハンドルアーム側とのそれぞれの端部の近傍に、軸受を収容保持する収容部が形成されている（例えば特許文献１参照）。
【０００４】
一方、このようなハンドルノブは、ハンドルアームを回転して行う巻取り操作時の操作性に直接的に影響する部材であり、大型の魚を対象とした巻上力重視の釣法、繊細な魚信を感度良く捉える釣法、釣竿のアクション主体で、弛むようにふけた釣糸を回収して魚信を待つ釣法等、様々な状況に用いられている。
【０００５】
通常であれば複数の魚釣用リールで様々な釣法に対応させることが好ましいが、実際に複数の魚釣用リールを所持することは、高コストであるため、単一の魚釣用リールで様々な釣法に対応させるために、巻上操作に直接影響するハンドルアームあるいはハンドルノブを交換することで対応することが多い。特に、ハンドルノブは、その外面形状を力強く握り込み易い形状、或いは回転操作し易い形状とすることで、操作性が格段に向上する特徴があり、釣法に併せて様々な外形形状を持つものがある（例えば特許文献２参照）。
【特許文献１】実開平５−１５７６９号
【特許文献２】特開平１１−２８９９３１号
【発明の開示】
【発明が解決しようとする課題】
【０００６】
上述のような魚釣用リールのハンドルノブは、支軸を介してハンドルアームに回転自在に装着した後、反ハンドルアーム側端部の外方開口部を閉塞する蓋部材等が取付けられる。このため、筒状部は、ハンドルアーム側と反ハンドルアーム側とで、特にその内周側が互いに異なる形状に形成されている。この結果、ハンドルノブは、支軸に対する取付け方向が限定され、次のような不具合が生じる。
【０００７】
すなわち、釣り人が握持保持するハンドルノブは、その外周面が、特に他の部材と接触し易く、更に、握持保持する際に釣り人の手が最も接触し易い反ハンドルアーム側端部が傷等の損傷を受け、あるいは磨耗した場合などには、実釣時の握持保持性が低下し、握り込んだ際に違和感が生じる。この場合には、握り込んだ際の握持保持性を最適な状態に復帰させるため、ハンドルノブを交換する必要がある。特に、ハンドルノブが、その外周部をコルク等の比較的軟質材料で形成されている場合には、このような不具合が生じ易く、頻繁にハンドルノブを交換せざるを得ない状況となり、メンテナンスコストが嵩む。
【０００８】
更に、様々な釣法に対応するために、種々の外形形状を持つ多数のハンドルノブを揃える場合には、その保持コストが嵩む上に、握持保持性が低下したハンドルノブを最適状態に復帰させるために、上述のような問題を生じる。
【０００９】
本発明は、このような事情に基づいてなされたもので、ハンドルノブの耐久性を向上させ、保持コストを低く維持することのできる魚釣用リールを提供することを目的とする。
【課題を解決するための手段】
【００１０】
上記目的を達成する本発明の魚釣用リールは、リール本体に回転可能に支持されたハンドルアームに、支軸を介して回転可能に支持されたハンドルノブを備えた魚釣用リールであって、前記ハンドルノブにおける前記支軸の一端側に位置するハンドルアーム側端部近傍の内周面と前記支軸の他端側に位置する反ハンドルアーム側端部近傍の内周面との形状を互いに対称形状に形成し、前記支軸上に端部の向きを変えて取付け可能としたことを特徴とする。
【発明の効果】
【００１１】
本発明の魚釣用リールによると、ハンドルノブのハンドルアーム側端部近傍の内周面と反ハンドルアーム側端部近傍の内周面との形状を互いに対称形状に形成することにより、支軸に取り付ける際のハンドルノブの向きを変換させることが可能となるため、例えばハンドルノブの反ハンドルアーム側の端部が損傷しあるいは磨耗した場合でも、ハンドルノブの向きを変えて取り付けて使用することができ、これにより、ハンドルノブの交換サイクルあるいは使用寿命を延長することができ、ハンドルノブの保持コストを低く維持することができる。
【００１２】
また、ハンドルノブの外周面形状が、上記支軸の一端側と他端側とで互いに非対称となる形状に形成されている場合には、ハンドルノブの取付け方向を変更するだけで握り込み特性を変更することができ、単一のハンドルノブをその釣法等の用途に応じて使い分けすることが可能となり、ハンドルノブの保持コストを低く維持することができる。
【発明を実施するための最良の形態】
【００１３】
図１は、本発明の好ましい実施形態による魚釣用リールの全体を示す。  
本実施形態の魚釣用リール１０は、スピニングリールとして形成してあり、剛性構造のリール本体１２ａと、リール本体１２ａから延出する脚部１２ｂと、脚部１２ｂの端部に形成され且つ釣竿に取り付けられる竿取付部１２ｃとを有している。リール本体１２ａ内には、図示しないスプールに釣糸を巻回するための巻取駆動機構１４が設けられている。具体的には、この巻取駆動機構１４は、リール本体１２ａ内に回転可能に支持され、一端に結合したハンドル１６をリール本体１２ａに対して回転自在に支える回転軸１８を有する。この回転軸１８はドライブギア２０と一体構造に形成してあり、このドライブギア２０が、ピニオンギア（図示しない）に噛合し、このピニオンギアを介して、かつ図示しないベールおよび釣糸案内部を備えたロータを釣糸巻回方向に回転することができる。
【００１４】
このようにドライブギア２０が噛合するピニオンギアは、回転軸１８と直交する方向に延びかつ軸受を介してリール本体１２ａに回転可能に支持された軸筒（図示しない）に設けられており、この軸筒の内部をスプール軸（図示しない）が貫通する。このスプール軸は、リール本体１２ａ内に設けられたオシレーティング機構２２により、回転軸１８と直交する方向に往復動され、上述のロータが回転する際に、このスプール軸の先端部に取付けられたスプールに均等に釣糸を巻回することができる。
【００１５】
オシレーティング機構３６は、回転軸１８と一体回転する歯車２４に噛合する連動歯車２６を有するいわゆるギヤ方式のものであり、連動歯車２６に突設され且つ連動歯車２６の回転中心軸から偏心して位置する係合突起（図示しない）を、スプール軸の後端部に取り付けられた摺動子２８のカム溝（図示しない）に係合させ、連動歯車２６が回転したときに、摺動子２８を図示しないガイドレールに沿って前後方向に案内することができる。このようなオシレーティング機構２２は、回転軸１８がハンドル１６の回転操作によって回転されると、回転軸１８上の歯車２４と噛み合う連動歯車２６が回転し、それに伴って、連動歯車２６の係合突起が回転すると共に、この係合突起に係合するカムの案内によって摺動子２８が前後に往復動する。したがって、摺動子２８に取り付けられたスプール軸が軸方向に沿って往復駆動（前後動）する。
【００１６】
このように形成された魚釣用リール１０は、ハンドル１６を回転操作して回転軸１８を回転させると、オシレーティング機構２２を介してスプール軸に取り付けられたスプールが前後に往復動するとともに、ドライブギア２０、ピニオンギア、軸筒を介してロータが回転駆動される。これにより、スプールには、釣糸案内部を介して、釣糸が均等に巻回される。
【００１７】
なお、リール本体１２ａ内には、ロータの逆回転（釣糸をスプールから繰出す方向の回転）を防止する周知の一方向クラッチを備えた逆転防止機構が配置されており、この逆転防止機構を、リール本体１２ａの後端壁部に設けた切換レバー３０を通じて切換操作し、ロータが正逆転可能な状態と、正転可能でかつ逆転不能の状態とに切換えることができる。
【００１８】
このような巻取駆動機構１４の回転軸１８を回転する本実施形態のハンドル１６は、１本のハンドルアーム３２を備えたシングルハンドルとして形成してあり、締結装置３４を介して回転軸１８に取外し可能に固定される。本実施形態のハンドル１６は、締結装置３４を介してリール本体１２ａの左側（図１で見て）に取付けられているが、リール本体１２ａの反対側に付替えることも可能である。この場合は、図１に示すカバー３６を取外し、回転軸１８の右側端部に、締結装置３４を介してハンドル１６を取付ける。
【００１９】
このように締結装置３４を介して回転軸１８に取付けられるハンドル１６は、ハンドルアーム３２を例えば金属で形成し、このハンドルアーム３２の先端部に基端部を取付固定された例えば金属製の支軸３８と、この支軸３８上に回転可能に支持された例えば合成樹脂材料あるいはコルクや木材等の天然材料製のハンドルノブ４０とを備える。
【００２０】
図２の(Ａ）および（Ｂ）に詳細に示すように、支軸３８は、ハンドルアーム３２の先端部に回転軸１８（図１）の軸線と平行に貫通形成した取付孔３２ａに圧入される固定部３８ａと、この固定部３８ａに隣接した位置で取付孔３２ａよりも大径に形成されたフランジ部３８ｄと、このフランジ部３８ｄを境にして固定部３８ａの反対側に形成されたノブ支持部３８ｃと、フランジ部３８ｄとノブ支持部３８ｃとの間に形成された位置決め部３８ｂとを有する。本実施形態では、この支軸３８のフランジ部３８ｄは、取付孔３２ａの周部に形成された平坦面３３に当接する大径部で形成し、位置決め部３８ｂは、後述する軸受４６の内輪に軸方向から当接する環状面を形成する小径部を有する段付き構造に形成してある。支軸３８の位置決め部３８ｂは、ハンドルノブ４０の端部４８ｂ，４８ｃがハンドルアーム３２の平坦面３３との接触を防ぐ位置にハンドルアーム側軸受４６ｂを位置決めするべく設けられた段部であり、軸受４６ｂの位置決めが可能な構成であれば、支軸３８のノブ支持部３８ｃをフランジ部３８ｄまで略同一形状とし、段付き形状の位置決め部３８ｂの代わりに位置決め部３８ｂと略同形状のカラーを配置してもよい。
【００２１】
この支軸３８は、固定部３８ａを取付孔３２ａに圧入し、ワッシャを介して固定ねじ４２を位置決め部３８ａの反対側から締付けることにより、このアーム部３２に強固に固定することができる。このような固定ねじ４２に代え、固定部３８ａの外側端部をカシメることで固定してもよい。
【００２２】
この支軸３８のノブ支持部３８ｃに回転自在に装着されるハンドルノブ４０は、例えば合成樹脂材料あるいはコルクや木材等の天然材料から形成され、この内部を軸方向に沿って内孔４４が貫通形成されている。このハンドルノブ４０の内孔４４を囲む内周部は、軸方向の中央部を中心とした両側端部の近傍で互いに対称構造に形成されている。
【００２３】
図２の（Ａ）および（Ｂ）に示すように、この内孔４４は支軸３８のノブ支持部３８ｃよりも大径に形成され、各端部近傍の内周面には、軸受４６を収容する収容部４８を凹設した段付き構造に形成されている。各収容部４８は、軸方向外方に開口すると共に、この軸方向内方の底壁部には、軸受４６の外輪の端面に当接して位置決めする環状面５０が形成されている。これらの環状面５０間の長さは、支軸３８のノブ支持部３８ｃの長さから２つの軸受４６の軸方向幅を差引いた寸法に形成してある。これにより、２つの軸受４６を介してノブ支持部３８ｃに装着したときに、ハンドルアーム３２側の収容部４８に収容された軸受４６は、位置決め部３８ｂの小径側の環状端面と、これに対向する環状面５０とで位置決めされる。また、これと反対側の反ハンドルアーム側の収容部４８に収容された軸受４６は、ハンドルアーム３２から離隔した側の環状面５０により、その外輪を介してハンドルアーム３２側を位置決めされ、これと反対側は、この収容部４８の開口端側から挿入し、支軸３８の先端に形成したねじ孔にねじ込まれる止めねじ５２のヘッド部により、その内輪を介して位置決めされる。各軸受４６は、それぞれ収容部４８の開口端側で内輪を介して位置決めされ、底壁側を外輪を介して位置決めされていることにより、支軸３８上でガタツクことなく、確実に取付けられる。
【００２４】
本実施形態では、各収容部４８の内周面の開口端側に、雌ねじ４８ａを形成してあり、ハンドルアーム３２から離隔した側の収容部４８の開口端が、この雌ねじ４８ａに螺合されるプラグ５４を螺合されて閉じられ、内部に水、塵埃等の異物が浸入するのが防止されている。また、ハンドルアーム３２に近接した側の収容部４８の開口端には、支軸３８のフランジ部３８ｄとこれに対向するハンドルアーム３２の平坦面３３とが極僅かな間隙を介して近接配置されている。これにより、ハンドルアーム３２側の収容部４８から塵埃等の異物が浸入するのが抑制される。
【００２５】
このように形成されたハンドル１６は、先端側に設けたハンドルノブ４０を握持して回転することにより、ハンドルノブ４０が支軸３８上を回転しつつハンドルアーム３２と共に回転され、回転軸１８を回転駆動することができる。このハンドルノブ４０は、それぞれの端部近傍に設けた収容部４８が互いに対称形状に形成されているため、支軸３８上で、各端部の向きを変えて取付けることができる。
【００２６】
図２に示す実施形態では、ハンドルノブ４０の外形が一端側で大径に形成され、他端側でこれよりも小径に形成した非対称形状を有し、通常の使用時には、例えば図２の（Ａ）に示すように、外形を小径に形成した端部をハンドルアーム３２側に配置し、大径側の部位を握持してハンドル操作する。そして、採用する漁法により、感度良く捉える必要がある場合等には、ハンドルノブ４０を図２の（Ａ）に示す状態から同図の（Ｃ）に示す状態に、端部の向きを変更する。このような、ハンドルノブ４０の向きの変更は、プラグ５４を収容部４８の開口端側から取外し、止めねじ５２を支軸３８から除去することにより、簡単に行うことができる。
【００２７】
図２の（Ｃ）に示すように、外形が小径に形成された端部を支軸３８の先端側に配置した場合には、釣竿から、竿取付部１２ｃ、脚部１２ｂ、リール本体１２ａおよびハンドルアーム３２を介して支軸３８に伝達された振動、あるいは釣糸からラインローラ（図示せず）、ロータ（図示せず）、ピニオンギヤ（図示せず）、ドライブギヤ２０およびハンドルアーム３２を介して支軸３８に伝達された振動が、その先端部からハンドルノブの薄肉部分を介して、握持する手に伝わる。このため、釣り人は、繊細な振動も感度良く感知することができる。
【００２８】
したがって、このようなハンドルノブ４０を備えた魚釣用リール１０によると、ハンドルノブ４０の外周面形状が、支軸３８の一端側と他端側とで互いに非対称となる形状に形成されていることにより、ハンドルノブ４０の取付け方向を変更するだけで握り込み特性を変更するでき、単一のハンドルノブ４０をその釣法等の用途に応じて使い分けすることが可能となり、ハンドルノブ４０の保持コストを低く維持することができる。
【００２９】
図３は、変形例によるハンドルノブ４０Ａを備えたハンドル１６を示す。なお、以下に説明する種々の実施形態あるいは変形例は、基本的には上述の実施形態と同様であり、同様な部位には同様な符号を付してその詳細な説明を省略する。
【００３０】
図３の（Ａ）および（Ｂ）に示すように、この変形例のハンドルノブ４０Ａは、一端側が幅広のバー状に拡大したＴ字状形状を有する非対称形状の外形を有する。この変形例においても、ハンドルノブ４０Ａは、軸受４６を収容する各端部の近傍に設けられた収容部４８を、互いに対称形状に形成してある。図３の（Ａ）に示すように、バー状の大きな外形部を支軸３８の先端側に配置した状態では、大きな巻上力でハンドル１６を回転することができる。一方、これとは逆にバー状の大きな外形部をハンドルアーム３２側に配置すると、上述の実施形態と同様に、繊細な振動も感度良く感知することができる。
【００３１】
図４および図５は、両軸受型リールとして形成した魚釣用リール１０Ａを示す。
【００３２】
本実施形態の魚釣用リール１０Ａは、釣糸が巻回されるスプール５６を、リール本体を形成する左右のフレーム５８ａ，５８ｂ間に回転自在に支持しており、これらの左右のフレーム５８ａ，５８ｂには側板６０ａ，６０ｂを取り付けてある。この右側板６０ｂは、ハンドル１６Ａに連結される巻取り駆動部６２を支持し、この右側板６０ｂと右フレーム５８ｂとの間に形成された空間内に、巻取り駆動部６２の駆動力をスプール５６に伝達する駆動力伝達系やドラグ系等の各種機構が収容されている。
【００３３】
また、スプール５６の前方側には、スプール５６に釣糸を均等に巻回するレベルワインド機構６４が配置されている。このレベルワインド機構６４は、左右のフレーム５８ａ，５８ｂ間に延設された筒体６６に沿って左右に摺動する係合子６６ａを有し、この係合子６６ａに形成された孔を介してスプール６０に巻回された釣糸を案内する。この係合子６６ａはスプール５６と共に、右側板６０ｂ内の駆動力伝達系を介してハンドル１６Ａの回転駆動力を伝達され、したがって、ハンドル１６Ａを回転操作することにより、スプール５６の回転および係合子６６ａの左右方向の摺動により、釣糸がスプール５６上に均等に巻回される。
【００３４】
本実施形態のハンドル１６Ａは、巻取り駆動部６６外端部に中央部を固定され、この中央部から半径方向外方に向けて互いに反対方向に先端部を突出させた一対のハンドルアーム７０を備えるいわゆるダブルハンドルとして形成してある。これらの各ハンドルアーム７０は例えば金属製であり、先端部に基端部を取付固定された例えば金属製の支軸３８上に、本実施形態ではＩ字状構造のハンドルノブ７０が回転自在に装着される。
【００３５】
図５の（Ａ）から（Ｃ）に詳細に示すように、支軸３８は、固定部３８ａが、ハンドルアーム６８の先端部に巻取り駆動部６２の回転軸線と平行に貫通形成した取付孔６８ａに圧入され、フランジ部３８ｄを、取付孔６８ａの周部に形成した平坦面６９に当接させた状態で、固定部３８ａの外側端部をカシメることにより、この支軸３８をハンドルアーム６８の取付孔６８ａを介して固定している。
【００３６】
このハンドルノブ７０は、操作する際に釣り人が握持する握持部７２を外側に配置し、この握持部７２の内側に、支軸３８のノブ支持部３８ｃに回転自在に装着される筒状構造の装着部７４を配置した組立体で形成してある。本実施形態の握持部７２は、例えばウレタンやゴム材料等の好適な樹脂材料あるいはコルクや木材等の天然材料で形成し、その外周面を軸方向の中央部から両端側に向けて次第に拡径させ、各端部の隅部を湾曲面とした滑らかな曲面で形成し、左右すなわち両端部の外形形状を対称形状に形成してある。また、この握持部７２には、軸方向に貫通する装着孔７６を形成し、この装着孔７６を介して装着部７４上に固定される。
【００３７】
装着部７４は、例えば金属あるいは硬質樹脂で形成され、それぞれの端部からは、フランジ部７８を半径方向外方に突出させ、このフランジ部７８により、握持部７２が軸方向に抜け出るのを防止している。もちろん、このようなフランジ部７８に代え、あるいはこのようなフランジ部７８共に、装着孔７６の内周面と装着部７４の外周面との間に接着剤を介在させて、これらの部材を強固な一体構造に形成してもよい。本実施形態の装着部７４は、外周部の中央部に外方に開口する凹部７８を形成してある。この凹部７８は、装着部７４の計量化を図ると共に、握持部７２が弾性材料で形成されているときに、この凹部７８に対応する部位の変形を許容して弾力性を増大させ、その握持性を向上させることができる。
【００３８】
なお、装着部７４のそれぞれの軸方向端部の近傍で、内周側に形成した収容部４８、雌ねじ４８ａおよび環状面５０は、互いに対称形状に形成してあること等の他の特徴については、上述の実施形態および変形例と同様である。
【００３９】
この実施形態では、ハンドルノブ７０がその端部近傍において、内周側および外周側のそれぞれを左右対称形状に形成してあるため、例えばハンドルノブ７０の反ハンドルアーム側の端部が損傷しあるいは磨耗した場合でも、ハンドルノブ７０の向きを変えて取り付けて使用することができ、これにより、ハンドルノブ７０の交換サイクルあるいは使用寿命を延長することができ、ハンドルノブ７０の保持コストを低く維持することができる。
【００４０】
図６は、変形例によるハンドルノブ７０Ａを示す。  
図６の（Ａ）および（Ｂ）に示すように、この変形例によるハンドルノブ７０Ａは、全体的に偏平構造を有し、装着部７４Ａの外周面の全体にわたって握持部７２Ａが密着する。更に、握持部７２Ａは、それぞれの端部から、装着部７４Ａの軸方向端部の環状端面７５を覆うフランジ部８０を半径方向内方に突出させ、これにより、装着部７４Ａがその全体を握持部７２Ａで覆われる。このハンドルノブ７０Ａの開口端を塞ぐプラグ５４（図５参照）は、フランジ部８０の内周側から突出する突片部８１により、抜け止めすることができる。したがって、装着部７２Ａの装着部４８に隣接させて雌ねじを形成する必要がない。図６の（Ｂ）に示す符号８２は、握持する指が滑るのを防止する凹部を示す。
【００４１】
なお、フランジ部８０は、このハンドルノブ７０Ａを支軸３８（図５参照）に取付けたときに、ハンドルアーム６８の平坦面６９と接触しない寸法に形成される。
【００４２】
以上、本発明の種々の実施形態および変形例について個々に説明してきたが、本発明はいずれかの実施形態あるいは変形例に限定されるものではなく、様々な用途に応じて適宜に組合せあるいは変更することが可能である。例えば、上述の実施形態では、スピニングリールにダブルハンドルを設け、両軸受型リールにシングルハンドルを設けてもよい。
【図面の簡単な説明】
【００４３】
【図１】本発明の好ましい実施形態による魚釣用リールの背面図。
【図２】図１に示す魚釣用リールのハンドルの一部を拡大して示し、（Ａ）はハンドルノブを装着した状態の断面図、（Ｂ）はハンドルノブの断面図、（Ｃ）は（Ａ）と逆方向に取付けた状態の断面図。
【図３】図２のハンドルノブの変形例を示し、（Ａ）はハンドルノブを装着した状態の断面図，（Ｂ）は、ハンドルノブの断面図。
【図４】他の実施形態による魚釣用リールの部分断面図。
【図５】図４の魚釣用リールのハンドルの一部を拡大して示し、（Ａ）はハンドルノブを装着した状態の断面図、（Ｂ）はハンドルノブの断面図、（Ｃ）はその平面図。
【図６】図５のハンドルノブの変形例を示し、（Ａ）はハンドルノブの断面図，（Ｂ）は、その平面図。
【符号の説明】
【００４４】
１０…魚釣用リール、１２ａ…リール本体、３２…ハンドルアーム、３８…支軸、４０…ハンドルノブ。
【図１】
2006149316.tif 000003
【図２】
2006149316.tif 000004
【図３】
2006149316.tif 000005
【図４】
2006149316.tif 000006
【図５】
2006149316.tif 000007
【図６】
2006149316.tif 000008